(57)【要約】【課題】屋根の下方に雨水が入り込むことを抑えることの可能な採光装置改修方法、および、改修採光装置を提供する。【解決手段】既設枠体１５に形成された取付孔２１に取付けられた板既存の樹脂板を取り外す工程と、既存の樹脂板が取り外された状態にて取付孔２１に新設フレーム３０を取付ける工程と、新設フレーム３０に新設樹脂板３１を取付ける工程と、を備え、新設フレーム３０は、既設枠体１５に取付けられた状態にて既設枠体１５の突出部分を外側から覆う外側被覆部３０ｂを有し、外側被覆部３０ｂには、取付孔２１の形成位置よりも重力方向側に配置される部位に新たな新設樹脂板３１が取付けられる樹脂板取付孔４０が形成されている。【選択図】図２
2015098698.tif 000002
【特許請求の範囲】
【請求項１】
建造物の屋根に設けられて前記屋根よりも上方に位置する枠状の上端面を有した既設枠体に、前記上端面の囲う空間である採光口を上方から覆う既設樹脂板が取付けられた採光装置を改修する採光装置改修方法であって、
前記既設樹脂板は、前記上端面を上方から覆う板状の外縁部である既設樹脂外縁部を有し、前記上端面と前記既設樹脂外縁部とを貫通する既設締結部材を外して、前記既設樹脂板を前記既設枠体から外す工程と、
前記既設枠体に新設フレームを取付け、かつ、前記新設フレームの外縁部である新設連結部を、前記既設枠体の有する外周面よりも外側で垂れ下がるように配置する工程と、
前記採光口、および、前記新設連結部の各々が上方から覆われるように新設樹脂板を配置し、かつ、前記新設樹脂板の外縁部である新設樹脂外縁部を、前記新設連結部よりも外側で垂れ下がるように配置する工程と、
前記新設連結部と前記新設樹脂外縁部とを貫通する新設締結部材によって、前記新設連結部と前記新設樹脂外縁部とを締結する工程と、
を含むことを特徴とする採光装置改修方法。
【請求項２】
前記新設連結部において前記新設締結部材の貫通する部位が、新設締結部位であり、
前記既設枠体に前記新設フレームを取付ける工程では、
前記新設連結部と前記既設枠体の外周面との間の距離が前記新設締結部位よりも短い部位を、前記新設連結部において前記新設締結部位よりも下方に形成する
請求項１に記載の採光装置改修方法。
【請求項３】
前記新設連結部が、新設外側連結部であり、
前記既設枠体に前記新設フレームを取付ける工程では、
前記新設フレームを前記既設枠体の外周面の外側に配置し、かつ、前記新設フレームの内側壁である新設内側連結部を、前記既設枠体の有する外周面と対向させ、前記既設枠体の前記外周面に前記新設内側連結部を締結することによって、前記既設枠体に前記新設フレームを取付ける
請求項１または２に記載の採光装置改修方法。
【請求項４】
建造物の屋根に設けられて前記屋根よりも上方に位置する上端面を有した既設枠体であって、前記上端面には既設樹脂板を前記既設枠体に取付けるための孔が貫通している前記既設枠体と、
前記既設枠体に取付けられて、前記既設枠体の有する外周面よりも外側において垂れ下がる外縁部である新設連結部を有した新設フレームと、
前記既設枠体の囲む空間である採光口、および、前記新設連結部の各々を上方から覆うように位置し、前記新設連結部よりも外側において垂れ下がる外縁部である新設樹脂外縁部を有した新設樹脂板と、
前記新設連結部と前記新設樹脂外縁部とを貫通し、前記新設連結部と前記新設樹脂外縁部とを締結する新設締結部材と、
を備える改修採光装置。
【請求項５】
前記新設連結部において前記新設締結部材の貫通する部位が、新設締結部位であり、
前記新設連結部と前記既設枠体の外周面との間の距離が、離間距離であり、
前記新設連結部は、前記新設締結部位における離間距離よりも大きい離間距離を前記新設締結部位よりも下方の部位において有する
請求項４に記載の改修採光装置。
【請求項６】
前記新設フレームは、前記既設枠体の前記外周面の外側に位置して下方に向けて開口した逆Ｕ字状を有し、かつ、前記新設フレームの内側壁である新設内側連結部が、前記既設枠体の有する外周面と対向し、前記既設枠体の前記外周面と前記新設内側連結部とが締結されている
請求項４または５に記載の改修採光装置。
【発明の詳細な説明】
【技術分野】
【０００１】
本開示の技術は、採光装置改修方法、および、改修採光装置に関する。
【背景技術】
【０００２】
建造物の屋根に設置される採光装置として、例えば特許文献１のように、ガラスなどの採光板を上方から覆う樹脂板を備える採光装置が知られている。こうした採光装置の一例を図４および図５を参照して説明する。図４は、改修対象の採光装置の一例を示す斜視図であり、図５は、改修対象の採光装置における樹脂板の取付部分の断面構造を示す断面図である。
【０００３】
図４に示されるように、採光装置５０の備える既設枠体１５には、既設枠体１５の全体を上方から覆う既設樹脂板１７が雄ねじ１８によって取付けられている。
図５に示されるように、既設枠体１５は、建物の躯体１１に固定された枠形状を有する基礎部材１９と、基礎部材１９と折板屋根１２とを繋ぐ枠形状を有する取合部材２０とを備えている。既設枠体１５は、基礎部材１９において矩形筒状を有する基礎本体部１９ｂと、取合部材２０において基礎本体部１９ｂを囲う矩形筒状を有する取合本体部２０ｂとから構成された中空を有する二重の矩形筒状を有している。基礎部材１９の筒内においてほぼ水平方向に沿って広がる矩形板状の採光板１６は、支持部材２２と押さえ部材２３とによって挟持されている。
【０００４】
基礎本体部１９ｂの下端において基礎本体部１９ｂの外側へ突き出た下側基礎フランジ１９ａは、躯体１１に接続している。基礎本体部１９ｂの上端において基礎本体部１９ｂの外側へ突き出た上側基礎フランジ１９ｃは、取合部材２０に接続して、取合部材２０、および、既設樹脂板１７を支持している。
【０００５】
取合部材２０は、取合本体部２０ｂの上端において取合本体部２０ｂの内側へ突き出た上側取合フランジ２０ａを備え、上側取合フランジ２０ａは、上側基礎フランジ１９ｃの上に重ねられている。取合本体部２０ｂの下端において取合本体部２０ｂの外側へ突き出た下側取合フランジ２０ｃは、折板屋根１２の屋根開口１３の上に重ねられ、取合部材２０の上に流れる雨水を折板屋根１２の上に流す庇として機能する。
【０００６】
既設樹脂板１７は、採光板１６の上方に位置するドーム部１７ａと、ドーム部１７ａの外周縁から外側に向かって延びる被覆外縁部１７ｂとを備えている。被覆外縁部１７ｂは、上側取合フランジ２０ａの全体を覆って、上側取合フランジ２０ａの上に重ねられている。被覆外縁部１７ｂの外周縁には、被覆外縁部１７ｂから垂れ下がる被覆フランジ１７ｃが延びている。被覆フランジ１７ｃは、取合本体部２０ｂと対向し、ドーム部１７ａから被覆フランジ１７ｃに流れる雨水を取合部材２０の上に落とす。
【０００７】
上側基礎フランジ１９ｃと、上側取合フランジ２０ａと、被覆外縁部１７ｂとは、それぞれ互いに対向する孔を有し、これら３つの孔からなる取付孔２１には、１つの雄ねじ１８が通されている。そして、上側基礎フランジ１９ｃの有する孔には、雌ねじが形成され、雄ねじ１８と上側基礎フランジ１９ｃとが螺合することによって、上側基礎フランジ１９ｃと、上側取合フランジ２０ａと、被覆外縁部１７ｂとが一体的に締結されている。
【先行技術文献】
【特許文献】
【０００８】
【特許文献１】特開平６−１０４５５号公報
【発明の概要】
【発明が解決しようとする課題】
【０００９】
ところで、上述した構成の採光装置５０においては、被覆外縁部１７ｂの有する孔と、雄ねじ１８との間の隙間に雨水が入るとき、その雨水は、雄ねじ１８を伝って、基礎本体部１９ｂと取合本体部２０ｂとの間の隙間、すなわち、既設枠体１５の内部に入る。被覆外縁部１７ｂの有する孔と、雄ねじ１８との間の隙間に、例えば、ガスケットやコーキング材などのシール材が配置されるとしても、結局は、シール材の経年劣化などによって、こうした隙間から折板屋根１２の下方へ雨水は入ってしまう。それゆえに、上述した採光装置５０においては、雨水が屋根の下方に入ることを抑える構造に改修することが望まれている。なお、雨水が建物内に入ることを抑える要請は、折板屋根１２の頂上部分である棟に設置される採光装置に限らず、棟以外の屋根面に設置される採光装置など、建造物の屋根に設置される採光装置において共通する。
【００１０】
本開示の技術は、屋根の下方に雨水が入ることを抑えることの可能な採光装置改修方法、および、改修採光装置を提供することを目的とする。
【課題を解決するための手段】
【００１１】
上記課題を解決する採光装置改修方法は、建造物の屋根に設けられて前記屋根よりも上方に位置する枠状の上端面を有した既設枠体に、前記上端面の囲う空間である採光口を上方から覆う既設樹脂板が取付けられた採光装置を改修する採光装置改修方法である。この採光装置改修方法において、前記既設樹脂板は、前記上端面を上方から覆う板状の外縁部である既設樹脂外縁部を有し、前記上端面と前記既設樹脂外縁部とを貫通する既設締結部材を外して、前記既設樹脂板を前記既設枠体から外す工程を含む。また、前記既設枠体に新設フレームを取付け、かつ、前記新設フレームの外縁部である新設連結部を、前記既設枠体の有する外周面よりも外側で垂れ下がるように配置する工程を含む。また、前記採光口、および、前記新設連結部の各々が上方から覆われるように新設樹脂板を配置し、かつ、前記新設樹脂板の外縁部である新設樹脂外縁部を、前記新設連結部よりも外側で垂れ下がるように配置する工程を含む。そして、前記新設連結部と前記新設樹脂外縁部とを貫通する新設締結部材によって、前記新設連結部と前記新設樹脂外縁部とを締結する工程を含む。
【００１２】
上記課題を解決する改修採光装置は、建造物の屋根に設けられて前記屋根よりも上方に位置する上端面を有した既設枠体であって、前記上端面には既設樹脂板を前記既設枠体に取付けるための孔が貫通している前記既設枠体と、前記既設枠体に取付けられて、前記既設枠体の有する外周面よりも外側において垂れ下がる外縁部である新設連結部を有した新設フレームとを備える。そして、前記既設枠体の囲む空間である採光口、および、前記新設連結部の各々を上方から覆うように位置し、前記新設連結部よりも外側において垂れ下がる外縁部である新設樹脂外縁部を有した新設樹脂板と、前記新設連結部と前記新設樹脂外縁部とを貫通し、前記新設連結部と前記新設樹脂外縁部とを締結する新設締結部材とを備える。
【００１３】
上記採光装置改修方法、および、改修採光装置によれば、既設枠体、および、新設連結部の各々の上方は、新設樹脂板によって覆われる。そして、新設樹脂板の外縁部は、新設フレームの外縁部の外側に位置し、新設樹脂板の外縁部と新設フレームの外縁部とが、これらを貫通する新設締結部材によって締結される。それゆえに、新設樹脂板の表面に沿って流れる雨水は、新設樹脂板の外縁部である新設樹脂外縁部に沿って流れ落ち、結果として、新設締結部材の貫通する孔を通じて、既設枠体の内部、あるいは、既設枠体の内側に雨水が入ることが抑えられる。ひいては、屋根の下方に雨水が入ることが抑えられる。
【００１４】
上記採光装置改修方法において、前記新設連結部において前記新設締結部材の貫通する部位が、新設締結部位であり、前記既設枠体に前記新設フレームを取付ける工程では、前記新設連結部と前記既設枠体の外周面との間の距離が前記新設締結部位よりも短い部位を、前記新設連結部において前記新設締結部位よりも下方に形成することが好ましい。
【００１５】
上記改修採光装置では、前記新設連結部において前記新設締結部材の貫通する部位が、新設締結部位であり、前記新設連結部と前記既設枠体の外周面との間の距離が、離間距離である。そして、前記新設連結部は、前記新設締結部位における離間距離よりも大きい離間距離を前記新設締結部位よりも下方の部位において有することが好ましい。
【００１６】
上記採光装置改修方法、および、改修採光装置によれば、既設枠体と新設連結部との間の隙間が新設締結部位の下方において狭くなるため、既設枠体と新設連結部との間の隙間において、新設締結部位の下方から新設締結部位の上方へ雨水が入ることが抑えられる。
【００１７】
上記採光装置改修方法において、前記新設連結部が、新設外側連結部であり、前記既設枠体に前記新設フレームを取付ける工程では、前記新設フレームを前記既設枠体の外周面の外側に配置し、かつ、前記新設フレームの内側壁である新設内側連結部を、前記既設枠体の有する外周面と対向させ、前記既設枠体の前記外周面に前記新設内側連結部を締結することによって、前記既設枠体に前記新設フレームを取付けることが好ましい。
【００１８】
上記改修採光装置において、前記新設フレームは、前記既設枠体の前記外周面の外側に位置して下方に向けて開口した逆Ｕ字状を有し、かつ、前記新設フレームの内側壁である新設内側連結部が、前記既設枠体の有する外周面と対向し、前記既設枠体の前記外周面と前記新設内側連結部とが締結されていることが好ましい。
【００１９】
上記採光装置改修方法、および、改修採光装置によれば、新設フレームの内側壁は、既設枠体の外周面の外側に位置し、新設樹脂板の外縁部と新設フレームの外縁部とが、これらを貫通する新設締結部材によって締結される。それゆえに、新設樹脂板を貫通する締結用の孔を通じて、新設樹脂板よりも既設枠体側に雨水が入ることが抑えられる。
【図面の簡単な説明】
【００２０】
【図１】本開示の技術の一実施形態における改修採光装置の分解斜視構造を示す分解斜視図である。
【図２】一実施形態の改修採光装置における新設フレームとそれに締結される構造体の部分断面構造を示す部分断面図である。
【図３】変形例における新設フレームとそれに締結される構造体の部分断面構造を示す部分断面図である。
【図４】改修対象の採光装置の一例を示す斜視図である。
【図５】改修対象の採光装置における樹脂板の取付部分の断面構造を示す断面図である。
【発明を実施するための形態】
【００２１】
図１、および、図２を参照して、本開示の技術における一実施形態を説明する。なお、本実施の形態における改修採光装置の備える構成要素のなかで、図４、および、図５を用いて説明した採光装置５０の備える構成要素と同様の機能を有する構成要素は、採光装置５０の備える構成要素と同じ符号を付してその詳細な説明を省略する。また、図４、および、図５を用いて説明した採光装置５０は、改修の対象となる採光装置であって、採光装置５０の備える既設樹脂板１７は既設樹脂板の一例である。
【００２２】
［改修採光装置］
まず、改修後の採光装置である改修採光装置１０を説明する。
図１に示されるように、既設枠体１５は、建造物の屋根の一例である折板屋根１２に設けられ、折板屋根１２から上方に向けて突出し、既設枠体１５の囲う空間である採光口Ｈを囲っている。既設枠体１５は、上方から見て、２つの長辺と２つの短辺とから構成される矩形枠体形状を有している。既設枠体１５は、折板屋根１２よりも上方に位置する枠状を有した上端面１５ｔを備え、既設枠体１５の上端面１５ｔには、既設樹脂板１７を既設枠体１５に取付けるための複数の取付孔２１が貫通している。
【００２３】
新設フレーム３０は、既設枠体１５の有する上端面１５ｔの全体を覆う矩形枠体形状を有して、既設枠体１５に取付けられている。新設フレーム３０は、既設枠体１５の有する外周面１５ｓよりも外側において垂れ下がる外縁部である新設連結部３０ｎを有している。新設連結部３０ｎは、新設フレーム３０の有する外周部の一部であって、新設フレーム３０の有する外周部のなかで、既設枠体１５の長辺に沿って延びる部分である。
【００２４】
新設フレーム３０の上側には、４つの支持フレーム３４が位置している。４つの支持フレーム３４の各々の上側には、４つの支持フレーム３４の全体を覆う新設樹脂板３１が位置し、新設樹脂板３１の上側には、４つの押さえフレーム３５が位置している。
【００２５】
４つの支持フレーム３４の各々は、既設枠体１５の長辺に沿って一定の間隔を空けて位置し、新設フレーム３０の上方に向かって突出する山形形状を有している。４つの支持フレーム３４の各々は、例えば、日新製鋼社製「ＺＡＭ」などの高い耐食性を有する鋼板である。
【００２６】
新設樹脂板３１は、採光口Ｈ、および、新設連結部３０ｎの各々を上方から覆うように位置し、新設連結部３０ｎよりも外側において垂れ下がる外縁部である新設樹脂外縁部３１ｎを有している。新設樹脂板３１は、採光口Ｈ、および、新設連結部３０ｎの各々を上方から覆う形状を有している。
【００２７】
なお、新設樹脂板３１は、新設連結部３０ｎを有して、採光口Ｈ、および、新設連結部３０ｎの各々を覆う形状を有していればよく、例えば、ドーム形状であってもよいし、平板形状であってもよい。図１においては、ポリカーボネート製の２つの樹脂板構成部材３２から構成される切妻屋根形状を有する例が示されている。なお、新設樹脂板３１が例えばドーム形状のような曲面成形された板であるよりも、新設樹脂板３１が樹脂板構成部材３２のような折曲加工された板である方が、新設樹脂板３１の入手を容易とする。そして、採光装置の改修に際しては、既設枠体１５のサイズや形状に応じて新設樹脂板３１のサイズや形状もまちまちであるから、新設樹脂板３１の入手が容易であることは、改修方法や改修採光装置の適用範囲を拡大させるうえで非常に重要である。
【００２８】
４つの押さえフレーム３５の各々は、互いに異なる支持フレーム３４の上方に位置し、支持フレーム３４と同じく、上方に向かって突出する山形形状を有している。４つの押さえフレーム３５の各々は、既設枠体１５の長辺に沿った棟板３６によって連結されている。４つの押さえフレーム３５の各々は、例えば日新製鋼社製「ＺＡＭ」などの高い耐食性を有する鋼板である。
【００２９】
新設フレーム３０の長辺に沿った方向において新設樹脂板３１の有する端辺と、新設フレーム３０の有する短辺とは、三角形状を有する隙間を区画している。三角板形状を有する閉塞板３３は、新設樹脂板３１と新設フレーム３０とが区画するこうした空間を閉塞している。
【００３０】
新設フレーム３０の有する新設連結部３０ｎと、新設樹脂板３１の有する新設樹脂外縁部３１ｎとの間には、支持フレーム３４が挟まれている。そして、新設フレーム３０の有する新設連結部３０ｎと、新設樹脂板３１の有する新設樹脂外縁部３１ｎとは、支持フレーム３４、および、押さえフレーム３５と共に、これらを貫通する新設締結部材３７によって締結されている。
【００３１】
図２を参照して、新設フレーム３０の構造、および、新設フレーム３０と新設樹脂板３１との締結の構造を説明する。
図２に示されるように、新設フレーム３０は、例えば、ガリバリウム鋼板であって、既設枠体１５の上面を覆う上側被覆部３０ａと、上側被覆部３０ａの外側縁から垂れ下がり、かつ、既設枠体１５を外側から覆う外側被覆部３０ｂとを備えている。上側被覆部３０ａには、既設枠体１５に新設フレーム３０を取付けるための枠体取付孔３９が形成され、枠体取付孔３９は、既設枠体１５に形成された取付孔２１と対向する位置に形成されている。既設枠体１５と、新設フレームの有する上側被覆部３０ａとは、これらを貫通する締結部材３８によって締結されている。上側被覆部３０ａの内側縁には、上方に向かって立ち上がる水切り部３０ｃが形成されている。
【００３２】
外側被覆部３０ｂには、外側被覆部３０ｂをほぼ水平方向に沿って貫通する樹脂板取付孔４０が形成され、支持フレーム３４、新設樹脂板３１、および、押さえフレーム３５には、樹脂板取付孔４０と対向する貫通孔が形成されている。樹脂板取付孔４０と、支持フレーム３４、新設樹脂板３１、および、押さえフレーム３５を貫通して樹脂板取付孔４０と対向する３つの孔は、新設締結部材３７の貫通する孔であって、新設フレーム３０と新設樹脂板３１との締結に用いられる。新設樹脂板３１において新設締結部材３７の貫通する部位は、新設締結部位である。新設連結部３０ｎと既設枠体１５の外周面との間の距離が離間距離Ｗであり、新設連結部３０ｎは、新設締結部位における離間距離Ｗよりも大きい離間距離Ｗを新設締結部位よりも下方の部位において有する。
【００３３】
外側被覆部３０ｂは、樹脂板取付孔４０よりも先端側に既設枠体１５に向かって折曲げられた第１折曲部３０ｄと、第１折曲部３０ｄから既設枠体１５に沿うように折曲げられた第２折曲部３０ｅと、第２折曲部３０ｅから既設枠体１５に向かって折曲げられた第３折曲部３０ｆとを備えている。これら第１折曲部３０ｄ、第２折曲部３０ｅ、第３折曲部３０ｆによって、新設連結部３０ｎの先端部は、新設締結部位よりも下方、かつ、既設枠体１５の近くに位置している。
【００３４】
新設樹脂外縁部３１ｎの下端部は、既設枠体１５に向けて折曲げられた折曲部３２ａであり、折曲部３２ａは、支持フレーム３４の外側縁が折曲部３２ａによって下方から覆い隠されるように、折曲部３２ａの下方に位置している。
【００３５】
上述した構成からなる改修採光装置であれば、天候が雨天であるとき、新設樹脂板３１の上面に到達した雨は、切妻屋根形状を有した新設樹脂板３１の傾斜に沿って、新設樹脂板３１の有する新設樹脂外縁部３１ｎに向けて流れる。この際に、樹脂板取付孔４０が、ほぼ水平方向に沿って新設フレーム３０を貫通するため、新設樹脂外縁部３１ｎの外縁部に沿って流れる雨は、樹脂板取付孔４０を通じて新設連結部３０ｎの内側に入り難く、結果として、下側取合フランジ２０ｃの上面に落ちる。それゆえに、折板屋根１２の下方に雨水が入り込むことが抑えられる。
【００３６】
また、新設連結部３０ｎが、新設締結部位における離間距離Ｗよりも大きい離間距離Ｗを新設締結部位よりも下方の部位において有する。そのため、下側取合フランジ２０ｃに落ちた雨水の一部が、下側取合フランジ２０ｃの表面で跳ね返って、新設連結部３０ｎと既設枠体１５との間に入り込むことが抑えられる。さらに、新設連結部３０ｎの最下端である第３折曲部３０ｆは、第２折曲部３０ｅから既設枠体１５に向かって折曲げられている。それゆえに、新設連結部３０ｎと既設枠体１５との間に雨水が入り込むことを抑える効果がさらに高まる。
【００３７】
なお、新設樹脂板３１の内面に結露が発生すると、発生した結露は、他の結露と合わさりながら新設樹脂板３１の内面を伝わって大型化して、既設枠体１５に向かって落ちる。一方で、既設枠体１５に向かって落ちる結露は、新設フレーム３０の有する上側被覆部３０ａに受け止められる。結果として、上側被覆部３０ａによって受け止められた結露は、既設枠体１５よりも内側に流れ込もうとしても、新設フレーム３０の有する水切り部３０ｃによって、その流れ込みが抑えられる。なお、上側被覆部３０ａによって受け止められた結露が、締結部材３８を伝わって折板屋根１２の下方に到達するとしても、こうした結露の量は雨水と比べれば十分に少ない量である。
【００３８】
また、１つの新設樹脂板３１は、一対の樹脂板構成部材３２によって構成され、新設樹脂板３１の両端の各々は、閉塞板３３によって閉塞されている。そのため、新設フレーム３０の形状に合わせて樹脂板が一体的に成形される場合に比べて、新設樹脂板３１の製造コストが低減される。また、樹脂板構成部材３２に折曲部３２ａが形成されていることによって、支持フレーム３４が配設されていない箇所、すなわち、新設樹脂板３１が支持フレーム３４によって支持されない箇所においても、新設フレーム３０と新設樹脂板３１との隙間に雨水は入り難い。
【００３９】
［採光装置改修方法］
既設枠体１５に新設樹脂板３１を新たに取付けて採光装置を改修する採光装置改修方法を説明する。採光装置改修方法は、既設樹脂板取外し工程と、新設フレーム取付け工程と、新設樹脂板配置工程と、新設樹脂板締結工程とを、この順に進める。
【００４０】
既設樹脂板取外し工程は、既設樹脂板の一例である既設樹脂板１７を既設枠体１５から取外す。例えば、既設樹脂板取外し工程において、既設枠体１５の有する上側基礎フランジ１９ｃから既設締結部材の一例である雄ねじ１８が螺脱され、雄ねじ１８、および、既設樹脂板である既設樹脂板１７が既設枠体１５から取外される。
【００４１】
新設フレーム取付け工程は、既設枠体１５に新設フレーム３０を取付け、かつ、新設フレーム３０の外縁部である新設連結部３０ｎを、既設枠体１５の有する外周面よりも外側において垂れ下がるように配置する。例えば、新設フレーム３０は、既設枠体１５の有する上側基礎フランジ１９ｃの上方全体、および、既設枠体１５の有する外周面の一部を覆うように、既設枠体１５に対して配置される。そして、新設フレーム３０の有する上側被覆部３０ａと、既設枠体１５の有する上側基礎フランジ１９ｃとは、これらを貫通する取付孔２１を介して締結部材３８によって締結され、これによって、既設枠体１５に新設フレーム３０が取付けられる。
【００４２】
新設樹脂板配置工程は、新設連結部３０ｎが上方から覆われるように新設樹脂板３１を配置し、かつ、新設樹脂板３１の外縁部である新設樹脂外縁部３１ｎを、新設連結部３０ｎよりも外側において垂れ下がるように配置する。新設樹脂板３１は、既設枠体１５によって囲われた空間である採光口Ｈ、例えば、採光板１６の全体、および、新設樹脂外縁部３１ｎを上方から覆う。
【００４３】
次に、新設樹脂板３１の端辺によって区画された空間が閉塞板３３によって閉塞されて、押さえフレーム３５、および、棟板３６が、所定の位置に取付けられる。そして、新設樹脂板３１の有する新設樹脂外縁部３１ｎと、新設フレーム３０の有する新設連結部３０ｎとは、支持フレーム３４、および、押さえフレーム３５を通る新設締結部材３７によって締結される。
【００４４】
この際に、新設樹脂板３１の両端部においては、閉塞板３３の被挟持片３３ａが押さえフレーム３５と樹脂板構成部材３２とによって挟持される。そして、閉塞板３３の連結片３３ｂが、支持フレーム３４、新設樹脂板３１、および、押さえフレーム３５とともに新設締結部材３７によって新設フレーム３０に締結される。また、閉塞板３３は、閉塞板３３の下端部において新設フレーム３０に締結される。
【００４５】
以上説明したように、上記実施形態によれば以下に列挙する効果が得られる。
（１）樹脂板取付孔４０から既設枠体１５に向けて雨水が入り難いため、雨水が折板屋根１２の下方に入ることが抑えられる。また、雨水による既設枠体１５の腐食が抑えられる。
【００４６】
（２）第１折曲部３０ｄ、第２折曲部３０ｅ、および、第３折曲部３０ｆによって、外側被覆部３０ｂと既設枠体１５との間の空間に雨水が入ることが抑えられる。
（３）既設枠体１５に向かって落ちる結露が新設フレーム３０の上側被覆部３０ａで受け止められるため、結露が屋根の下側に入ること、および、結露によって既設枠体１５の腐食が進むことが抑えられる。
【００４７】
（４）新設樹脂板３１が一対の樹脂板構成部材３２によって構成されるため、新設樹脂板３１の製造コストが低減される。
（５）樹脂板構成部材３２の折曲部３２ａが、新設フレーム３０に向けて折曲げられるため、新設樹脂板３１と新設フレーム３０との間に雨水が入ることも抑えられる。
【００４８】
なお、上記実施形態は、以下のように適宜変更して実施することもできる。
・新設樹脂板３１は、３つ以上の樹脂部材で構成されてもよいし、一体成形部材であってもよい。要は、既設枠体１５の囲む空間である採光口Ｈ、および、新設連結部３０ｎの各々を上方から覆うように位置し、新設連結部３０ｎよりも外側において垂れ下がる外縁部である新設樹脂外縁部３１ｎを有する構造体であればよい。
【００４９】
・新設フレーム３０と既設枠体１５とを締結する締結部材３８は、既設枠体１５に予め形成されている取付孔２１以外の孔を通じて、新設フレーム３０と既設枠体１５とを締結してもよい。また、新設フレーム３０と既設枠体１５とを締結する締結部材３８は、上側基礎フランジ１９ｃ、および、上側被覆部３０ａ以外に形成された孔を通じて、新設フレーム３０と既設枠体１５とを締結してもよい。
【００５０】
例えば、図３に示されるように、既設枠体１５が断面逆コ字状に形成され、既設枠体１５の有する外周壁１５ａに別途新たな取付孔２１が改修時に形成されてもよい。この際に、新設フレーム４５は、外周壁１５ａと対向する板状を有した新設内側連結部４５ａと、新設内側連結部４５ａの上側縁から外側に向かって延びる間隔形成部４５ｂと、間隔形成部４５ｂの外側縁から垂れ下がる新設外側連結部４５ｃとから構成され、新設内側連結部４５ａには、新たな取付孔２１と対向する孔が形成されることが好ましい。そして、これらの孔を貫通する締結部材３８によって、既設枠体１５と新設フレーム３０とが締結されてもよい。
【００５１】
こうした構成においても、上記（１）から（５）に準じた効果が得られ、そのうえで、下記（６）に記載の効果が得られる。
（６）既設枠体１５と新設フレーム４５との締結、および、新設フレーム４５と新設樹脂板３１との締結の両方が、新設フレーム４５において垂れ下がる部分、すなわち、新設内側連結部４５ａ、および、新設外側連結部４５ｃを貫通する孔を通じて実現される。それゆえに、既設枠体１５の内部、あるいは、既設枠体１５の内側に雨水が入ること、ひいては、屋根の下方に雨水が入ることを一層に抑えられる。
【００５２】
・新設フレーム３０は、水切り部３０ｃが割愛された構成であってもよい。
・新設連結部は、新設締結部位における離間距離よりも大きい離間距離を新設締結部位よりも下方の部位において有してもよいし、新設締結部位よりも下方の部位は、新設締結部位における離間距離よりも大きい離間距離のみを有してもよい。また、新設締結部位よりも下方の部位は、新設締結部位における離間距離と同じ離間距離のみを有してもよい。例えば、新設フレーム３０，４５の有する外側被覆部は、垂れ下がる平板であってもよい。
【００５３】
・既設枠体１５は、採光口Ｈを囲う形状であればよく、例えば、上方から見て、互いに同じ長さを有する４つの辺から構成される矩形枠体形状を有していてもよいし、菱形枠体形状を有していてもよい。
【００５４】
・新設フレーム３０は、複数の部材が組み合わせられた構造体であってもよいし、一体として形成された構造体であってもよい。新設フレーム３０の有する形状は、既設枠体１５の有する外周面よりも外側において垂れ下がる新設連結部３０ｎを有する形状であって、上端面１５ｔの少なくとも一部を覆う形状であってもよい。新設フレーム３０の有する形状は、例えば、既設枠体１５の長辺に沿って延びる形状であって、その上辺において上端面１５ｔの一部を覆う直線形状であってもよく、要は、既設枠体１５の有する外周面よりも外側において垂れ下がる新設連結部３０ｎを有する形状であればよい。
【００５５】
・支持フレーム３４は、新設フレーム３０に固定されて新設樹脂板３１を下方から支持する機能を有していればよく、支持フレーム３４の数、大きさ、形状、材料などは、特に限定されるものではない。また、新設樹脂板３１が新設フレーム３０との締結によって十分に位置決めされる程度の機械的な強度を有する新設樹脂板３１であれば、支持フレーム３４そのものは省略されてもよい。
【００５６】
・押さえフレーム３５は、新設フレーム３０に固定されて新設樹脂板３１を上方から押さえる機能を有していればよく、押さえフレーム３５の数、大きさ、形状、材料などは、特に限定されるものではない。さらに、新設樹脂板３１が新設フレーム３０との締結によって十分に位置決めされる程度の機械的な強度を有する新設樹脂板３１であれば、押さえフレーム３５そのものは省略されてもよい。
【００５７】
・閉塞板３３は、新設樹脂板３１の有する端辺と、新設フレーム３０の辺とによって区画される隙間を塞ぐ機能を有していればよく、例えば、矩形板状を有していてもよいし、円板形状を有していてもよい。また、新設樹脂板３１の有する端辺と、新設フレーム３０の辺とによって区画される隙間が無いのであれば、閉塞板３３そのものは省略されてもよい。
【００５８】
・改修採光装置１０の適用される屋根、および、採光装置改修方法の適用される屋根は、折板屋根１２に限らず、寄棟屋根、入母屋根、方形屋根、片流れ屋根など、折板屋根以外の屋根であってもよい。また、改修採光装置１０の適用される屋根、および、採光装置改修方法の適用される屋根における部位は、棟以外の屋根面であってもよい。
【符号の説明】
【００５９】
Ｈ…採光口、Ｗ…離間距離、１０…改修採光装置、１１…躯体、１２…折板屋根、１３…採光口部、１５…既設枠体、１５ａ…外周壁、１５ｔ…上端面、１５ｓ…外周面、１６…採光板、１７…既設樹脂板、１７ａ…ドーム部、１７ｂ…被覆外縁部、１７ｃ…被覆フランジ、１８…雄ねじ、１９…基礎部材、１９ａ…下側基礎フランジ、１９ｂ…基礎本体部、１９ｃ…上側基礎フランジ、２０…取合部材、２０ａ…上側取合フランジ、２０ｂ…取合本体部、２０ｃ…下側取合フランジ、２１…取付孔、２２…支持部材、２３…押さえ部材、３０…新設フレーム、３０ａ…上側被覆部、３０ｂ…外側被覆部、３０ｃ…水切り部３０ｄ…第１折曲部、３０ｅ…第２折曲部、３０ｆ…第３折曲部、３０ｎ…新設連結部、３１…新設樹脂板、３１ｎ…新設樹脂外縁部、３２…樹脂板構成部材、３２ａ…折曲部、３３…閉塞板、３３ａ…被挟持片、３３ｂ…連結片、３４…支持フレーム、３５…押さえフレーム、３６…棟板、３７…新設締結部材、３８…締結部材、３９…体取付孔、４０…樹脂板取付孔、４５…新設フレーム、４５ａ…新設内側連結部、４５ｂ…間隔形成部、４５ｃ…新設外側連結部、５０…採光装置。
【図１】
2015098698.tif 000003
【図２】
2015098698.tif 000004
【図３】
2015098698.tif 000005
【図４】
2015098698.tif 000006
【図５】
2015098698.tif 000007